(57)【特許請求の範囲】
【請求項１】
セルラ通信システムの端末デバイスにおいて、少なくとも１つのチャネル監視関連タイマーの構成を、該チャネル監視関連タイマーの有効値がカバレッジ拡張レベルにマッピングされるように、定義するステップと、
前記チャネル監視関連タイマーの前記構成にしたがって、前記端末デバイスにおいて、ネットワーク要素と前記端末デバイスとの間で送信されたチャネル・サブフレームの監視を実行するステップと、
を含む方法であって、
チャネル送信開始サブフレームのサブフレーム番号は、方程式、［（ＳＦＮ  ＊  １０）＋サブフレーム番号］ｍｏｄｕｌｏ（ＭＰ＿Ｒ＿Ｐｅｒｉｏｄ）＝  ＭＰ＿Ｏ＿Ｏｆｆｓｅｔに基づいて定められるように、前記チャネル監視関連タイマーとチャネル・サブフレーム送信とが整列され、ここで、ＳＦＮはフレームのシステム・フレーム番号であり、前記チャネル送信開始サブフレームが発生し、ＭＰ＿Ｒ＿Ｐｅｒｉｏｄはチャネル反復周期またはチャネル反復量であり、ＭＰ＿Ｏ＿Ｏｆｆｓｅｔは、０から最大ＭＰ＿Ｒ＿Ｐｅｒｉｏｄ  −  １へのチャネル機会オフセットである、
方法。
【請求項２】
端末デバイスのためのセルラ通信システムのネットワーク要素において、少なくとも１つのチャネル監視関連タイマーの構成を、前記チャネル監視関連タイマーの有効値がカバレッジ拡張レベルにマッピングされるように、定義するステップと、
前記ネットワーク要素から前記端末デバイスへのシグナリングの送信をさせるステップであって、該シグナリングは、前記チャネル監視関連タイマーの定義された構成を示す、ステップと、
を含む方法であって、
チャネル送信開始サブフレームのサブフレーム番号は、方程式、［（ＳＦＮ  ＊  １０）＋サブフレーム番号］ｍｏｄｕｌｏ（ＭＰ＿Ｒ＿Ｐｅｒｉｏｄ）＝  ＭＰ＿Ｏ＿Ｏｆｆｓｅｔに基づいて定められるように、前記チャネル監視関連タイマーとチャネル・サブフレーム送信とが整列され、ここで、ＳＦＮはフレームのシステム・フレーム番号であり、前記チャネル送信開始サブフレームが発生し、ＭＰ＿Ｒ＿Ｐｅｒｉｏｄはチャネル反復周期またはチャネル反復量であり、ＭＰ＿Ｏ＿Ｏｆｆｓｅｔは、０から最大ＭＰ＿Ｒ＿Ｐｅｒｉｏｄ  −  １へのチャネル機会オフセットである、
方法。
【請求項３】
セルラ通信システムのネットワーク要素から端末デバイスにおいて、少なくとも１つのチャネル監視関連タイマーの構成を、前記チャネル監視関連タイマーの有効値がカバレッジ拡張レベルにマッピングされるように、示すシグナリングを獲得するステップと、
前記端末デバイスにおいて、前記チャネル監視関連タイマーの前記構成にしたがって、前記ネットワーク要素と前記端末デバイスとの間で送信されるチャネル・サブフレームの監視を実行するステップと、
を含む方法。であって、
チャネル送信開始サブフレームのサブフレーム番号は、方程式、［（ＳＦＮ  ＊  １０）＋サブフレーム番号］ｍｏｄｕｌｏ（ＭＰ＿Ｒ＿Ｐｅｒｉｏｄ）＝  ＭＰ＿Ｏ＿Ｏｆｆｓｅｔに基づいて定められるように、前記チャネル監視関連タイマーとチャネル・サブフレーム送信とが整列され、ここで、ＳＦＮはフレームのシステム・フレーム番号であり、前記チャネル送信開始サブフレームが発生し、ＭＰ＿Ｒ＿Ｐｅｒｉｏｄはチャネル反復周期またはチャネル反復量であり、ＭＰ＿Ｏ＿Ｏｆｆｓｅｔは、０から最大ＭＰ＿Ｒ＿Ｐｅｒｉｏｄ  −  １へのチャネル機会オフセットである、
方法。
【請求項４】
前記カバレッジ拡張レベルが前記端末デバイスで計算され、前記カバレッジ拡張レベルはチャネル反復の量に関連する、請求項１、２または３に記載の方法。
【請求項５】
前記カバレッジ拡張レベルは、前記ネットワーク要素において計算され、前記ネットワーク要素から前記端末デバイスに送信される、請求項１ないし４のいずれか１項に記載の方法。
【請求項６】
各カバレッジ拡張レベルに関連付けられた所定の重み係数が、前記端末デバイスにおいて、チャネル監視関連タイマーの設定を定義するために利用される、請求項１ないし５のいずれか１項に記載の方法。
【請求項７】
各カバレッジ・エンハンスメント・レベルに関連する所定の重み係数が、チャネル監視関連タイマーの設定を定義するのに利用されるために、ネットワーク要素から端末デバイスにシグナリングされる、請求項１ないし６のいずれか１項に記載の方法。
【請求項８】
前記チャネル監視関連タイマーは、前記カバレッジ拡張レベルに関連する前記重み係数を乗算することによって、新しいパラメータ値を追加することによって、または、当初のパラメータ値をチャンネル反復数にスケーリングすることによって、拡張される、請求項６または７のいずれか１項に記載の方法。
【請求項９】
前記チャネル監視関連タイマーは、ＤＲＸタイマー、ｏｎＤｕｒａｔｉｏｎＴｉｍｅｒ、ＲＡＲウィンドウ、競合解消タイマー、ｍａｃ−ＣｏｎｔｅｎｔｉｏｎＲｅｓｏｌｕｔｉｏｎタイマー、ｒａ−ＲｅｓｐｏｎｓｅＷｉｎｄｏｗＳｉｚｅ、ｌｏｎｇＤＲＸ−ＣｙｃｌｅＳｔａｒｔＯｆｆｓｅｔｌｏｎｇＤＲＸ−サイクル、ｄｒｘＳｔａｒｔＯｆｆｓｅｔ、ｓｈｏｒｔＤＲＸサイクル、ｄｒｘ−Ｉｎａｃｔｉｖｉｔｙタイマーおよびｄｒｘ−Ｒｅｔｒａｎｓｍｉｓｓｉｏｎタイマーのうちの１つ以上を備える、請求項１ないし８のいずれか１項に記載の方法。
【請求項１０】
前記チャネルは、物理ダウンリンク制御チャネルＰＵＣＣＨ、ＭＴＣ物理ダウンリンク制御チャネルＭ−ＰＤＣＣＨ、拡張物理ダウンリンク制御チャネルＥ−ＰＤＣＣＨ、物理アップリンク制御チャネルＰＵＣＣＨ、ＭＴＣ物理アップリンク制御チャネルＭ−ＰＵＣＣＨ、および、拡張物理アップリンク制御チャネルＥ−ＰＵＣＣＨのうちの少なくとも１つを備える、請求項１ないし９のいずれか１項に記載の方法。
【請求項１１】
少なくとも１つのプロセッサと、コンピュータ・プログラム・コードを含む少なくとも１つのメモリとを備える装置であって、
前記少なくとも１つのメモリおよび前記コンピュータ・プログラム・コードは、前記少なくとも１つのプロセッサを用いて、前記装置に、
少なくとも１つのチャネル監視関連タイマーの構成を、チャネル監視関連タイマーの実効値がカバレッジ拡張レベルにマッピングされるように、定義させ、
前記チャネル監視関連タイマーの前記構成にしたがって、通信システムの端末デバイスとネットワーク要素との間で送信されるチャネル・サブフレームの監視を実行させるように構成される、
装置であって、
チャネル送信開始サブフレームのサブフレーム番号は、方程式、［（ＳＦＮ  ＊  １０）＋サブフレーム番号］ｍｏｄｕｌｏ（ＭＰ＿Ｒ＿Ｐｅｒｉｏｄ）＝  ＭＰ＿Ｏ＿Ｏｆｆｓｅｔに基づいて定められるように、前記チャネル監視関連タイマーとチャネル・サブフレーム送信とが整列され、ここで、ＳＦＮはフレームのシステム・フレーム番号であり、前記チャネル送信開始サブフレームが発生し、ＭＰ＿Ｒ＿Ｐｅｒｉｏｄはチャネル反復周期またはチャネル反復量であり、ＭＰ＿Ｏ＿Ｏｆｆｓｅｔは、０から最大ＭＰ＿Ｒ＿Ｐｅｒｉｏｄ  −  １へのチャネル機会オフセットである、
装置。
【請求項１２】
少なくとも１つのプロセッサと、コンピュータ・プログラム・コードを含む少なくとも１つのメモリとを備える装置であって、前記少なくとも１つのメモリおよび、前記コンピュータ・プログラム・コードは、前記少なくとも１つのプロセッサを用いて、前記装置に、
通信システムの端末デバイスに対して、少なくとも１つのチャネル監視関連タイマーの構成を、前記チャネル監視関連タイマーの実効値が、カバレッジ拡張レベルにマッピングされるように、定義させ、
前記端末デバイスへの、前記チャネル監視関連タイマーの前記定義された構成を示すシグナリングの送信をさせるように構成される、
装置であって、
チャネル送信開始サブフレームのサブフレーム番号は、方程式、［（ＳＦＮ  ＊  １０）＋サブフレーム番号］ｍｏｄｕｌｏ（ＭＰ＿Ｒ＿Ｐｅｒｉｏｄ）＝  ＭＰ＿Ｏ＿Ｏｆｆｓｅｔに基づいて定められるように、前記チャネル監視関連タイマーとチャネル・サブフレーム送信とが整列され、ここで、ＳＦＮはフレームのシステム・フレーム番号であり、前記チャネル送信開始サブフレームが発生し、ＭＰ＿Ｒ＿Ｐｅｒｉｏｄはチャネル反復周期またはチャネル反復量であり、ＭＰ＿Ｏ＿Ｏｆｆｓｅｔは、０から最大ＭＰ＿Ｒ＿Ｐｅｒｉｏｄ  −  １へのチャネル機会オフセットである、
装置。
【請求項１３】
少なくとも１つのプロセッサと、コンピュータ・プログラム・コードを含む少なくとも１つのメモリとを備える装置であって、前記少なくとも１つのメモリおよび、前記コンピュータ・プログラム・コードは、前記少なくとも１つのプロセッサを用いて、前記装置に、
セルラ通信システムのネットワーク要素から、少なくとも１つのチャネル監視関連タイマーの構成を、チャネル監視関連タイマーの実効値がカバレッジ拡張レベルにマッピングされるように、示すシグナリングを獲得させ、
前記チャネル監視関連タイマーの前記構成にしたがって、前記ネットワーク要素とユーザ端末との間で送信されるチャネル・サブフレームの監視を実行させるように構成される、
装置であって、
チャネル送信開始サブフレームのサブフレーム番号は、方程式、［（ＳＦＮ  ＊  １０）＋サブフレーム番号］ｍｏｄｕｌｏ（ＭＰ＿Ｒ＿Ｐｅｒｉｏｄ）＝  ＭＰ＿Ｏ＿Ｏｆｆｓｅｔに基づいて定められるように、前記チャネル監視関連タイマーとチャネル・サブフレーム送信とが整列され、ここで、ＳＦＮはフレームのシステム・フレーム番号であり、前記チャネル送信開始サブフレームが発生し、ＭＰ＿Ｒ＿Ｐｅｒｉｏｄはチャネル反復周期またはチャネル反復量であり、ＭＰ＿Ｏ＿Ｏｆｆｓｅｔは、０から最大ＭＰ＿Ｒ＿Ｐｅｒｉｏｄ  −  １へのチャネル機会オフセットである、
装置。
【請求項１４】
前記少なくとも１つのメモリおよび、前記コンピュータ・プログラム・コードは、前記少なくとも１つのプロセッサを用いて、前記装置に、請求項４ないし１０のいずれか１項に記載の方法を実行させるように構成される、請求項１１、１２または１３に記載の装置。
【請求項１５】
装置にロードされたときに、請求項１ないし１０のいずれか１項に記載の方法を実行する、プログラム命令を含むコンピュータ・プログラム。
【請求項１６】
コンピュータにロードされるとき、ネットワーク・ノードに、請求項１ないし１０のいずれか１項に記載の方法を実行させることを含むコンピュータ・プロセスを実行する、コンピュータ・プログラム。
【発明の詳細な説明】
【技術分野】
【０００１】
本願発明は、通信に関するものである。
【背景技術】
【０００２】
間欠受信（ＤＲＸ：ｄｉｓｃｏｎｔｉｎｕｏｕｓ  ｒｅｃｅｐｔｉｏｎ）とは、周期的、自動的に端末デバイス受信器の電源をオン／オフすることにより、無線端末デバイスのバッテリ電力を節約することを指す。端末デバイスが受信器をオフにすると、装置は低電力状態に入る。
【発明の概要】
【０００３】
一態様にしたがい、独立請求項に係る発明が提供される。実施形態は、従属請求項において規定される。
【０００４】
実施形態の１つ以上の例が、添付の図面および以下の説明においてより詳細に記載されている。他の特徴は、説明、図面、および請求項から明らかになる。
【図面の簡単な説明】
【０００５】
以下では、添付の図面を参照して本願発明を、好適な実施形態によって詳細に説明する。
【図１】図１は、本願発明の実施形態が適用され得る無線通信システムを示す。
【図２】図２および図３は、本願発明の一実施形態によるタイマー処理のための手順のシグナリング図を示す。
【図３】図２および図３は、本願発明の一実施形態によるタイマー処理のための手順のシグナリング図を示す。
【図４】図４は、整列したＭ−ＰＤＣＣＨ送信およびＤＲＸ構成を示す図である。
【図５】図５および図６は、本願発明のいくつかの実施形態によるタイマー処理のプロセスを示す。
【図６】図５および図６は、本願発明のいくつかの実施形態によるタイマー処理のプロセスを示す。
【図７】図７および８は、本願発明のいくつかの実施形態による装置のブロック図を示す。
【図８】図７および８は、本願発明のいくつかの実施形態による装置のブロック図を示す。
【発明を実施するための形態】
【０００６】
以下の実施形態は例示的なものである。本願明細書は、いくつかの箇所において、「１つの（ａｎ）」、「１つの（ｏｎｅ）」、または「いくつかの（ｓｏｍｅ）」実施形態を指すことがあるが、必ずしも、そのような各参照が同じ実施形態にあること、あるいは、その特徴が、単一の実施形態にのみ適用されることを意味するものではない。異なる実施形態の単一の特徴を組み合わせて、他の実施形態を提供することもできる。さらに、「備える（ｃｏｍｐｒｉｓｉｎｇ）」および「含む（ｉｎｃｌｕｄｉｎｇ）」という用語は、記載された特徴のみからなるものであるというように記載された実施形態を限定するものではないことが理解されるべきである。それらの実施形態は、特に記載されていない特徴や構造を含むことができる。
【０００７】
記載された実施形態は、ベーシックＷ−ＣＤＭＡに基づくユニバーサル移動体通信システム（ＵＭＴＳ、３Ｇ）、高速パケットアクセス（ＨＳＰＡ）、ロング・ターム・エボリューション（ＬＴＥ）、ＬＴＥアドバンスト、および／または５Ｇシステムのうちの少なくとも１つのような無線システムに実装することができる。しかしながら、本願実施形態は、これらのシステムに限定されるものではない。
【０００８】
しかしながら、実施形態は例示として与えられたシステムに限定されず、当業者は、必要な特性を備えた他の通信システムにこのソリューションを適用することができる。適切な通信システムの１つの例は、上でリストにあげた５Ｇシステムである。５Ｇにおけるネットワーク・アーキテクチャは、ＬＴＥアドバンストのものと非常に似たものになると想定される。５Ｇは、多重入力−多重出力（ＭＩＭＯ）アンテナ、ＬＴＥの現在のネットワーク展開よりも多くの基地局やノード（いわゆる小セル概念）を使用する可能性が高い。これらは、小規模なローカル・エリア・アクセス・ノードと協働するマクロ・サイトを含み、おそらく、より良いカバレッジと高められたデータレートのために種々の無線技術を採用することも可能である。５Ｇは複数の無線アクセス技術（ＲＡＴ）で構成されており、それぞれが特定のユース・ケースやスペクトルに対して最適化されている。
【０００９】
将来のネットワークは、ネットワーク・ノード機能を「ビルディング・ブロック」あるいはサービスを提供するために機能的に接続またはリンクされることができるエンティティに仮想化することを提案するネットワーク・アーキテクチャの概念であるネットワーク機能仮想化（ＮＦＶ）を利用する可能性が最も高いと思われることが理解されるべきである。仮想化ネットワーク機能（ＶＮＦ）は、カスタマイズされたハードウェアの代わりに標準または一般タイプのサーバを使用してコンピュータ・プログラム・コードを実行する１つまたは複数の仮想マシンを備えることができる。クラウド・コンピューティングまたはクラウド・データ・ストレージも利用することができる。無線通信において、これは、遠隔無線ヘッドに動作可能に結合されたサーバ、ホスト、またはノードにおいて、少なくとも部分的に実行されるべきノード動作を意味し得る。ノード操作が複数のサーバ、ノードまたはホストに分散されることも可能である。また、コアネットワークオペレーションと基地局オペレーションとの間の仕事の配分は、ＬＴＥのそれとは異なるか、または存在しなくてもよいことも理解されるべきである。おそらく、使用されるべき他のいくつかの技術の進歩は、ＳＤＮ（ｓｏｆｔｗａｒｅ−ｄｅｆｉｎｅｄ  ｎｅｔｗｏｒｋｉｎｇ）、ビッグデータ、および、オールＩＰである。これらは、ネットワークの構築と管理の方法を変えることができる。
【００１０】
図１は、本願発明の実施形態を適用することができるセルラー通信システムの例を示す。第３世代パートナーシッププロジェクト（３ＧＰＰ）のＬＴＥ（ｌｏｎｇ  ｔｅｒｍ  ｅｖｏｌｕｔｉｏｎ）、ＬＴＥ−ａｄｖａｎｃｅｄ（ＬＴＥ−Ａ）などのセルラー無線通信ネットワーク、または、将来予測される５Ｇソリューションは、通常、ネットワーク要素１１０のような少なくとも１つのネットワーク要素であり、セル１００を提供する。各セルは、例えば、マクロ・セル、マイクロセル、フェムトセル、またはピコセルであり得る。ネットワーク要素１１０は、ＬＴＥおよびＬＴＥ−Ａのような進化型ノードＢ（ｅＮＢ）であり得、または、無線通信を制御し、セル内の無線リソースを管理することができる任意の他の装置であり得る。５Ｇソリューションの場合、実装は、前述のように、ＬＴＥ−Ａと同様なものであり得る。ネットワーク要素１１０は、基地局またはアクセス・ノードと呼ぶことができる。セルラー通信システムは、ネットワーク要素１１０、１１２、１１４の無線アクセスネットワークから構成されることができる。例えば、ｅＮＢを含み、それぞれがそれぞれのセル、または、セル１００、１０２、１０４を制御する。ネットワーク要素１１０−１１４は、それぞれ、マクロ・セル１００−１０４を制御することができ、端末デバイス１２０の広域カバレージを提供する。ネットワーク要素１１０−１１４は、端末デバイス１２０に、インターネットなどの他のネットワークへの無線アクセスを提供するため、アクセス・ノードと呼ぶこともできる。さらに、１つまたは複数のローカルエリアアクセス・ノード１１６は、マクロ・セル１００ー１０４を制御するネットワーク要素１１０、１１２、１１４の制御領域内に配置することができる。ローカル・エリア・アクセス・ノード１１６は、マクロ・セル１００内に含まれ得るサブセル１０６内の無線アクセスを提供することができる。サブセルの例は、マイクロ、ピコ及び／又はフェムトセルを含むことができる。典型的には、サブセルはマクロ・セル内にホット・スポットを提供する。ローカル・エリア・アクセス・ノード１１６の動作は、制御エリアの下にサブセルが設けられているネットワーク要素１１０によって制御することができる。ネットワーク要素１１０および他のネットワーク要素１１２−１１６は、端末デバイス１２０がマスタｅＮＢネットワーク要素および、セカンダリｅＮＢネットワーク要素に関連付けられたセルとの複数の接続を確立した二重接続性（ＤＣ）をサポートすることができる。
【００１１】
ネットワーク要素１１０は、端末デバイス１１２が、連続周波数帯域上または非連続周波数帯域上にあることができる複数のコンポーネント・キャリアからのリソースを割り当てられるキャリアアグリゲーションを使用することができる。１つのネットワーク要素１１０は、１つのコンポーネント・キャリア、例えば、プライマリ・コンポーネント・キャリアを提供することができる。一方、別のネットワーク要素１１６は、別のコンポーネント・キャリア、例えば、セカンダリ・コンポーネント・キャリアを提供することができる。主コンポーネント・キャリアを動作させるネットワーク要素１１０は、すべてのコンポーネント・キャリア上のリソースのスケジューリングを実行することができ、または、各ネットワーク要素１１０，１１６が、動作するコンポーネント・キャリアのスケジューリングを制御することができる。あるいは、ネットワーク要素１１０は、１つのコンポーネント・キャリア、例えば、主構成コンポーネント・キャリア、を提供することができる。および、別の構成コンポーネント・キャリア、例えば、二次成分キャリアを提供することができる。
【００１２】
通信ネットワーク内の複数のｅＮＢの場合、ｅＮＢは、ＬＴＥで規定されているようにＸ２インタフェースを用いて互いに接続されることができる。ネットワーク要素間の他の通信方法も可能である。ネットワーク要素１１０−１１６は、Ｓ１インタフェースを介して進化型パケットコア（ＥＰＣ）１３０に、より詳細には、モビリティ管理エンティティ（ＭＭＥ）１３２に、および、システムアーキテクチャ進化ゲートウェイ（ＳＡＥ−ＧＷ）１３４に、さらに接続することができる。
【００１３】
図１の無線システムは、マシン型通信（ＭＴＣ）をサポートすることができる。ＭＴＣは、少なくとも１つの端末デバイス１２０のような大量のＭＴＣ対応装置に対するサービスを提供することを可能にすることができる。少なくとも１つの端末デバイス１２０は、携帯電話、スマートフォン、タブレットコンピュータ、ラップトップ、および、ＭＴＣネットワークなどの無線通信ネットワークとのユーザ通信に使用される他の装置を備えることができる。これらのデバイスは、音声、ビデオ、および／またはデータ転送のための通信リンクなど、ＭＴＣ方式と比較してさらなる機能を提供することができる。しかし、ＭＴＣの観点では、少なくとも１つの端末デバイス１２０は、ＭＴＣ装置として理解することができる。少なくとも１つの端末デバイス１２０は、また、いくつかの例を挙げるために、位置、加速度、および／または温度情報を提供するセンサ装置などの別のＭＴＣ対応装置を備えることができる。
【００１４】
３ＧＰＰ  ＬＴＥ  Ｒｅｌ−１３は、マシン型通信（ＭＴＣ）のためのＬＴＥ物理層拡張を伴う。Ｒｅｌ−１３  ＭＴＣユーザ装置（ＵＥ）は、任意のシステム帯域幅内のダウンリンクおよびアップリンクにおいて、１．４ＭＨｚ（すなわち、わずか６ＰＲＢ対）の無線周波数帯域幅をサポートすればよい。Ｒｅｌ−１３  ＭＴＣは、ＭＴＣデバイスが挑戦的な場所、建物の奥深くに配置されている周波数分割デュプレックス（ＦＤＤ）に対して１５ｄＢのネットワークカバレッジ改善を達成できる技術を規定している。これらの技術は、例えば、物理データチャネルのためのＨＡＲＱを用いたサブフレームバンドリング技術、反復を伴うクロスサブフレームスケジューリングを伴うＭ−ＰＤＣＣＨを使用するリソース割り当てなどを含むことができる。カバレージ強化（ＣＥ）の量は、セルごと、ユーザ機器ごと、チャネルごと、および／または、チャネルのグループごとに、構成することができる。Ｒｅｌ−１３  ＭＴＣは、通常のネットワークカバレッジと強化されたネットワークカバレッジの両方で、超長時間のバッテリ寿命のための電力消費削減スキームも提供する。
【００１５】
ＤＲＸタイマー、ＲＡＲウィンドウ、競合解消タイマー、ＰＨＲ／ＢＳＲ／ＳＲ関連タイマー、ＳＣｅｌｌ非活性化などのＲＲＣ／ＭＡＣタイマーは、サブフレーム／フレームの順序である。数十回または数百回のＰＤＣＣＨ反復で、これらのタイマーはｅＮＢに１つのスケジューリング機会を提供しない。したがって、これらのタイマーを処理する従来の方法は、必ずしもＭＴＣには適用可能ではない。
【００１６】
例えば、ＤＲＸで構成された場合、ＵＥは、ｏｎＤｕｒａｔｉｏｎＴｉｍｅｒ、ｄｒｘ−ＩｎａｃｔｉｖｉｔｙＴｉｍｅｒなどのようなタイマーによって定義された多数の連続するＰＤＣＣＨサブフレームを監視する。ほとんどのパラメータは、サブフレームの数として構成される。例えば、ｐｓｆ１、ｐｓｆ２は、１つのサブフレーム、２つのサブフレームなどを意味する。
【数１】
0006557421.tif 000002
【００１７】
ＤＲＸパラメータの値域は、より長い値で拡張することができ、必要に応じてＵＥを再構成することができ、あるいは、ＤＲＸを完全にオフにすることさえできる。しかしながら、これらは、ＵＥにおける電力消費の増加およびＲＲＣシグナリングの増加につながる。図２および図３は、端末デバイス１２０とセルラー通信システムのネットワーク要素、例えば基地局との間の関連するタイマー・ハンドリングを監視するダウンリンク制御チャネル（ＰＤＣＣＨ、Ｍ−ＰＤＣＣＨおよび／またはＥ−ＰＤＣＣＨ）に対する実施形態を示す。
【００１８】
図２を参照すると、ネットワーク要素１１０などのネットワーク要素は、端末デバイス（端末デバイス１２０など）のための、少なくとも１つのダウンリンク制御チャネル監視関連タイマーの構成を定義し（ブロック２０１）、このダウンリンク制御チャネル監視関連タイマーは、カバレッジ拡張ＣＥレベルにマッピングされる。ブロック２０２において、ネットワーク要素は、ネットワーク要素から端末デバイスへのシグナリングの送信を引き起こし、シグナリングは、ダウンリンク制御チャネル監視関連タイマーの定義された構成を示す。ブロック２０３において、端末デバイスは、ダウンリンク制御チャネル監視関連タイマーの有効値がカバレッジ拡張ＣＥレベルにマッピングされるように、ダウンリンク制御チャネル監視関連タイマーの構成を示すシグナリングをネットワーク要素から取得する。ブロック２０４において、端末デバイスは、ダウンリンク制御チャネル監視関連タイマーの前記構成に従って、ネットワーク要素から送信されたダウンリンク制御チャネル・サブフレームのモニタリング（すなわち、リッスン）を行う。ブロック２０５において、ネットワーク要素は、ダウンリンク制御チャネル・サブフレームの端末デバイスへの送信を実行する。
【００１９】
図３を参照すると、端末デバイスは、ダウンリンク制御チャネル監視関連タイマーの有効値がカバレッジ拡張ＣＥレベルにマッピングされるように、少なくとも１つのダウンリンク制御チャネル監視関連タイマーの構成を定義する（ブロック３０１）。ブロック３０２において、端末デバイスは、ダウンリンク制御チャネル監視関連タイマーの前記構成に従って、ネットワーク要素から送信されたダウンリンク制御チャネル・サブフレームのモニタリング（すなわち、リッスン）を行う。ブロック３０３において、ネットワーク要素は、ダウンリンク制御チャネル・サブフレームの端末デバイスへの送信を実行する。
【００２０】
したがって、ダウンリンク制御チャネル監視関連タイマーの有効値（例えば、ＤＲＸパラメータ）は、現在のカバレッジ拡張ＣＥレベルに依存し、端末装置は、タイマーによって指定された（および、他のサブフレームにおいてスリープ／非アクティブモードにある）（例えば、タイマーが満了したとき））それらのダウンリンク制御チャネル・サブフレーム（のみ）を監視するように構成される。
【００２１】
１つの実施形態において、カバレッジ拡張ＣＥレベルのために構成されたダウンリンク制御チャネル反復の量に基づいて、カバレッジ拡張ＣＥレベルが端末デバイスにおいて計算される。初期ＲＡＣＨの場合、ＣＥレベルはＲＳＲＰのＵＥ測定値に基づいて決定され、ＵＥは、各ＣＥレベルの報知情報に基づいて対応する反復レベルを決定するように構成される。次いで、ＵＥは、それらに基づいてＲＡＲウィンドウおよび／または競合解決タイマーを計算するように構成される。各カバレッジ拡張ＣＥレベルは、対応するダウンリンク制御チャネル反復量に関連する。
【００２２】
１つの実施形態において、カバレッジ拡張ＣＥレベルは、ネットワーク要素において計算され、ネットワーク要素から端末デバイスに送信される。ＲＡＣＨ以外の他の送受信の場合、カバレッジレベルはｅＮＢによって設定される。カバレッジレベルは、ＵＥが接続モードにあるときにｅＮＢによって構成することができる。
【００２３】
１つの実施形態において、各カバレッジ拡張ＣＥレベルに関連する所定の重み係数が、ダウンリンク制御チャネル監視関連タイマーの構成を定義するために端末デバイスにおいて利用される。
【００２４】
１つの実施形態において、各カバレッジ拡張ＣＥレベルに関連付けられた所定の重み係数が、ネットワーク要素から端末デバイスにシグナリングされ、ダウンリンク制御チャネル監視関連タイマーの構成を定義するために利用される。
【００２５】
１つの実施形態において、ダウンリンク制御チャネル監視関連タイマーは、ＣＥカバレッジ拡張レベルに関連する重み係数を乗算することによって、新しいパラメータ値を追加することによって、または、オリジナル・パラメータ値をダウンリンク制御チャネル反復回数にスケーリングすることによって拡張される。
【００２６】
１つの実施形態において、ダウンリンク制御チャネル監視関連タイマーとダウンリンク制御チャネル・サブフレーム送信とは、下り制御チャネル送信開始サブフレームのサブフレーム番号が、方程式［（ＳＦＮ＊１０）＋サブフレーム番号］ｍｏｄｕｌｏ（ＭＰ＿Ｒ＿Ｐｅｒｉｏｄ）＝ＭＰ＿Ｏ＿Ｏｆｆｓｅｔに基づいて定義されるように整列される。ここで、ＳＦＮは、開始サブフレームが発生するフレームのシステム・フレーム番号であり、ＭＰ＿Ｒ＿Ｐｅｒｉｏｄは、ダウンリンク制御チャネル反復周期またはダウンリンク制御チャネル反復量であり、ＭＰ＿Ｏ＿Ｏｆｆｓｅｔは、０から最大ＭＲ＿Ｒ＿Ｐｅｒｉｏｄ−１までのダウンリンク制御チャネル機会オフセットである。
【００２７】
１つの実施形態において、ダウンリンク制御チャネル監視関連タイマーは、ＤＲＸタイマー、ｏｎＤｕｒａｔｉｏｎＴｉｍｅｒ、ＲＡＲウィンドウ、競合解消タイマー、ｍａｃ−ＣｏｎｔｅｎｔｉｏｎＲｅｓｏｌｕｔｉｏｎＴｉｍｅｒ、ｒａ−ＲｅｓｐｏｎｓｅＷｉｎｄｏｗＳｉｚｅ、ｌｏｎｇＤＲＸ−ＣｙｃｌｅＳｔａｒｔＯｆｆｓｅｔｌｏｎｇＤＲＸ−Ｃｙｃｌｅ、ｄｒｘＳｔａｒｔＯｆｆｓｅｔ、ｓｈｏｒｔＤＲＸ−Ｃｙｃｌｅ、ｄｒｘ  −ＩｎａｃｔｉｖｉｔｙＴｉｍｅｒおよびｄｒｘ−ＲｅｔｒａｎｓｍｉｓｓｉｏｎＴｉｍｅｒのうちの１つ以上である。
【００２８】
１つの実施形態において、ダウンリンク制御チャネルは、ＰＤＣＣＨ、Ｍ−ＰＤＣＣＨ、および／またはＥ−ＰＤＣＣＨを含む。しかしながら、ダウンリンク制御チャネル（ＰＤＣＣＨ、Ｍ−ＰＤＣＣＨ、Ｅ−ＰＤＣＣＨ）の代わりに、またはこれに加えて、実施形態は、ＰＵＣＣＨ、Ｍ−ＰＵＣＣＨ、Ｅ−ＰＵＣＣＨ、ＰＤＳＣＨおよび／またはＰＵＳＣＨなどの任意の他の物理（またはより高位の）レイヤに適用可能である。
【００２９】
ダウンリンク制御チャネル（ＰＤＣＣＨ、Ｍ−ＰＤＣＣＨ、Ｅ−ＰＤＣＣＨ）関連タイマーの代わりに、またはこれに加えて、実施形態は、ＰＵＣＣＨ、Ｍ−ＰＵＣＣＨ、Ｅ−  ＰＵＣＣＨ、ＰＤＳＣＨおよび／またはＰＵＳＣＨ関連タイマーなどの任意の他の物理（またはより高位の）レイヤ関連タイマーに適用可能である。
【００３０】
図５及び図６は、端末デバイス１２０とセルラー通信システムのネットワーク要素、例えば、ネットワーク要素１１０との間を処理するダウンリンク制御チャネル（ＰＤＣＣＨ、Ｍ−ＰＤＣＣＨ及び／又はＥ−ＰＤＣＣＨ）監視関連タイマーを図示する。
【００３１】
図５を参照すると、ネットワーク要素１１０などのネットワーク要素は、ダウンリンク制御チャネル監視関連タイマーが、カバレッジ拡張ＣＥレベルにマッピングされるように、端末デバイス（端末デバイス１２０など）のための、少なくとも１つのダウンリンク制御チャネル監視関連タイマーの構成を定義する（ブロック５０１）。ブロック５０２において、ネットワーク要素は、ネットワーク要素から端末デバイスへのシグナリングの送信を引き起こし、そのシグナリングは、ダウンリンク制御チャネル監視関連タイマーの定義された構成を示す。ブロック５０３において、ネットワーク要素は、ダウンリンク制御チャネル・サブフレームの送信を実行する。
【００３２】
図６を参照すると、端末デバイスは、ダウンリンク制御チャネル監視関連タイマーの有効値が、カバレッジ・エンハンスメントＣＥレベル？？にマッピングされるように、少なくとも１つのダウンリンク制御チャネル監視関連タイマーの設定を定義する（またはネットワーク要素から取得する）（ブロック６０１）。ブロック６０２において、端末デバイスは、ダウンリンク制御チャネル監視関連タイマーの前記構成に従って、ネットワーク要素から送信されたダウンリンク制御チャネル・サブフレームの監視を実行することによってタイマーを適用する。
【００３３】
１つの実施形態において、関連するタイマーを監視するダウンリンク制御チャネルの有効値は、カバレッジ拡張（ＣＥ）レベルにリンクされる。したがって、パラメータの有効値（例えば、ＤＲＸパラメータ）は、自動的にカバレッジ向上レベルに追従し、これは、パラメータの値の範囲が仕様内で同じに維持されることを可能にする。
【００３４】
１つの実施形態において、使用される繰り返しの量（例えば、Ｍ−ＰＤＣＣＨの繰り返しの数）によって、カバレッジ向上レベルを測定することができる。ＣＥレベルは、ＵＥとｅＮＢとの間で定義し、シグナリングすることができる。１つの選択肢は、各ＣＥレベルに関連する重み係数を事前に定義すること、または各ＣＥレベルに関連する重み係数をｅＮＢからＵＥにシグナリングすることであり、これは既存のパラメータを拡張するために適用できるが、仕様における同一の値を維持することができる。例えば、重み係数１０はＣＥレベル１にマッピングされることができ、重み係数２０はＣＥレベル２にマッピングされことができる、などであり、ここで、ＵＥは、既存のＣＥレベルに基づいて重み係数を知っている。
【００３５】
例えば、２ｍｓのｏｎＤｕｒａｔｉｏｎＴｉｍｅｒを与えるＲＲＣ構成は、通常のカバレッジでは、２ｍｓがｏｎＤｕｒａｔｉｏｎＴｉｍｅｒに使用され、一方、拡張カバレッジ用に構成された、２０回の繰り返しでは、４０ｍｓが使用されることを意味する。例えば、ＲＡＲウィンドウ及び競合解消タイマー等のダウンリンク制御チャネル監視に関連する他のタイマーについても同様である。重み係数の場合、タイマーは、ＣＥレベルに関連重み係数を乗じた２ｍｓに拡張することができる。
【００３６】
１つの実施形態において、ＵＬ送信関連タイマー、例えば、  ＰＨＲ  ／  ＢＳＲ  ／  ＳＲ関連タイマーは、十分なＵＬ送信の繰り返しを保証するものである。新しい値を追加することができ、あるいは、反復回数に対する当初の値スケーリングを（または、ＵＥとｅＮＢの間で事前に定義されたまたは信号伝達された重み係数に）適用することができる。
【００３７】
ＳＣｅｌｌ非活性化のための非活性化タイマーは、現在、ｒｆ２、ｒｆ４、ｒｆ８、ｒｆ１６、ｒｆ３２、ｒｆ６４、ｒｆ１２８のパラメータ値を有する。ＵＥが、ダウンリンク制御チャネルをデコードするために数十または数百のサブフレームを必要とする場合、最初のいくつかの値は適用できない。１つの実施形態において、新しい値を追加することができ、あるいは、あるいは、反復回数に対する当初の値スケーリング（または、ＵＥとｅＮＢの間で事前に定義された、または通知された重み係数に対する当初の値スケーリング）？？？を適用することができる。
【００３８】
タイムアライメントタイマーなどの他のタイマーは、ＣＥレベルに依存しない。
【００３９】
ＵＥの電力消費を最適化するためには、ＤＲＸ構成およびＭ−ＰＤＣＣＨ送信構成が、可能な限り整列されることが望ましい。図４は、整列したＭ−ＰＤＣＣＨ送信およびＤＲＸ構成を図示す。
【００４０】
ある実施形態は、Ｍ−ＰＤＣＣＨ構成を開示する。Ｍ−ＰＤＣＣＨ送信は、［（ＳＦＮ＊１０）＋サブフレーム番号］ｍｏｄｕｌｏ（ＭＰ＿Ｒ＿Ｐｅｒｉｏｄ）＝ＭＰ＿Ｏ＿Ｏｆｆｓｅｔから、開始するここで、ＳＦＮは開始サブフレーム−ｆｒａｍｅが発生する。ＭＰ＿Ｒ＿Ｐｅｒｉｏｄは、Ｍ−ＰＤＣＣＨの反復周期、または、ダウンリンク制御チャネルの反復量（ｓｆ１０、ｓｆ２０、ｃ、ｓｆＸ）（ｓｆ＝１サブフレーム、ｓｆ１０＝１０サブフレーム、ｃ、ｓｆＸ＝Ｘサブフレーム）である。ＭＰ＿Ｏ＿Ｏｆｆｓｅｔは、Ｍ−ＰＤＣＣＨ機会オフセット（０から最大ＭＲ＿Ｒ＿Ｐｅｒｉｏｄ−１）である。
【００４１】
したがって、ダウンリンク制御チャネル監視関連パラメータは、ＣＥレベル（例えば、ＤＲＸパラメータ、ＲＡＲウィンドウ、競合解決タイマーなど）に従っており、場合によっては頻繁なＲＲＣシグナリングの必要性を低減する。ＵＥがＭ−ＰＤＣＣＨ反復で構成されている場合、関連するＤＲＸタイマー値は、サブフレームの代わりにＭ−ＰＤＣＣＨ反復の数として指定される。例えば、値２は、「２＊Ｍ−ＰＤＣＣＨ反復回数」Ｍ−ＰＤＣＣＨ−サブフレームを意味する。
【００４２】
ＵＥ用のＭ−ＰＤＣＣＨの開始サブフレームは、Ｍ−ＰＤＣＣＨ設計の上に構成することができる。Ｍ−ＰＤＣＣＨの開始サブフレームは、式［（ＳＦＮ＊１０）＋サブフレーム番号］ｍｏｄｕｌｏ（ＭＰ＿Ｒ＿Ｐｅｒｉｏｄ）＝ＭＰ＿Ｏ＿Ｏｆｆｓｅｔを満たす。ＳＦＮは、開始サブフレームが発生するフレームのシステム・フレーム番号である。ＭＰ＿Ｒ＿Ｐｅｒｉｏｄは、Ｍ−ＰＤＣＣＨの繰り返し周期、または、Ｍ−ＰＤＣＣＨの繰り返し数（ｓｆ１０、ｓｆ２０、ｃ、ｓｆＸ）（ｓｆ＝１サブフレーム、ｓｆ１０＝１０サブフレーム、ｃ、ｓｆＸ＝Ｘサブフレーム）である。ＭＰ＿Ｏ＿Ｏｆｆｓｅｔは、Ｍ−ＰＤＣＣＨ機会オフセット（０から最大ＭＲ＿Ｒ＿Ｐｅｒｉｏｄ−１）である。提案されたＭ−ＰＤＣＣＨ構成は、ＤＲＸオンデュレーションとＭ−ＰＤＣＣＨ送信との間のアライメントの可能性を実現する。例えば、ｅＮＢは、ｓｈｏｒｔＤＲＸ−Ｃｙｃｌｅの値を、ＭＰ＿Ｒ＿Ｐｅｒｉｏｄの倍数に実装し、可能な限りＭＰ＿Ｏ＿ＯｆｆｓｅｔをｄｒｘＳｔａｒｔＯｆｆｓｅｔに整列させるように構成することができる。
【００４３】
Ｍ−ＰＤＣＣＨ機会導出のために利用される新しいパラメータは、システム情報内の新しい情報コンポーネントとして定義することができる。ＭＰ＿Ｒ＿Ｐｅｒｉｏｄは、Ｍ−ＰＤＣＣＨの繰り返し周期またはＭ−ＰＤＣＣＨの繰り返し数（ｓｆ１０、ｓｆ２０、ｃ、ｓｆＸ）（ｓｆ＝１サブフレーム、ｓｆ１０＝１０サブフレーム、ｃ、ｓｆＸ＝Ｘサブフレーム）である。ＭＰ＿Ｏ＿Ｏｆｆｓｅｔは、Ｍ−ＰＤＣＣＨ機会オフセット（０から最大ＭＲ＿Ｒ＿Ｐｅｒｉｏｄ−１）である。Ｍ−ＰＤＣＣＨ機会のための特定のシステム・フレームおよびサブフレームの導出を、定義することができる。Ｍ−ＰＤＣＣＨ送信（開始サブフレーム）は、［（ＳＦＮ＊１０）＋サブフレーム番号］モジュロ（ＭＰ＿Ｒ＿Ｐｅｒｉｏｄ）＝ＭＰ＿Ｏ＿Ｏｆｆｓｅｔから始まる。ＤＲＸ構成のＡＳＮ．１を変更する必要はないが、このフィールドの記載は、
【数２】
0006557421.tif 000003
のように変更できる。
【００４４】
ｄｒｘ−ＩｎａｃｔｉｖｉｔｙＴｉｍｅｒは、ＰＤＣＣＨサブフレーム数＊ＰＤＣＣＨ繰り返し数の値を持つＤＲＸのタイマーである。値ｐｓｆ１は１ＰＤＣＣＨサブフレーム＊ＰＤＣＣＨ反復数に対応し、ｐｓｆ２は２ＰＤＣＣＨサブフレーム＊ＰＤＣＣＨ反復回数に対応する、などである。
【００４５】
ｄｒｘ−ＲｅｔｒａｎｓｍｉｓｓｉｏｎＴｉｍｅｒは、ＰＤＣＣＨサブフレーム数＊ＰＤＣＣＨ繰り返し数の値を持つＤＲＸのタイマーである。値ｐｓｆ１は１ＰＤＣＣＨサブフレーム＊ＰＤＣＣＨ反復数に対応し、ｐｓｆ２は２ＰＤＣＣＨサブフレーム＊ＰＤＣＣＨ反復回数に対応する、などである。ｄｒｘ−ＲｅｔｒａｎｓｍｉｓｓｉｏｎＴｉｍｅｒ−ｖ１１３０がシグナリングされる場合、ＵＥはｄｒｘ−ＲｅｔｒａｎｓｍｉｓｓｉｏｎＴｉｍｅｒを無視する（すなわち、サフィックスなし）。
【００４６】
ｏｎＤｕｒａｔｉｏｎＴｉｍｅｒは、ＰＤＣＣＨサブフレーム数＊ＰＤＣＣＨ繰り返し数の値を持つＤＲＸのタイマーである。値ｐｓｆ１は１ＰＤＣＣＨサブフレーム＊ＰＤＣＣＨ反復数に対応し、ｐｓｆ２は２ＰＤＣＣＨサブフレーム＊ＰＤＣＣＨ反復回数に対応する、などである。
【００４７】
ｌｏｎｇＤＲＸ−ＣｙｃｌｅＳｔａｒｔＯｆｆｓｅｔｌｏｎｇＤＲＸ−Ｃｙｃｌｅ（ｌｏｎｇＤＲＸ−Ｃｙｃｌｅ）の値は、サブフレーム数である。値ｓｆ１０は、１０＊ＰＤＣＣＨ反復サブフレームの数に対応し、ｓｆ２０は、２０＊ＰＤＣＣＨ反復サブフレームの数に対応する、などである。ｓｈｏｒｔＤＲＸ−Ｃｙｃｌｅが構成されている場合、ｌｏｎｇＤＲＸ−Ｃｙｃｌｅの値はｓｈｏｒｔＤＲＸ−Ｃｙｃｌｅ値の倍数である。
【００４８】
ｄｒｘＳｔａｒｔＯｆｆｓｅｔの値はサブフレームの数である。ｌｏｎｇＤＲＸ−ＣｙｃｌｅＳｔａｒｔＯｆｆｓｅｔ−ｖ１１３０がシグナリングされる場合、ＵＥはｌｏｎｇＤＲＸ−ＣｙｃｌｅＳｔａｒｔＯｆｆｓｅｔを無視する（すなわち、サフィックスなし）。
【００４９】
ｓｈｏｒｔＤＲＸ−Ｃｙｃｌｅはサブフレーム数で値を持つ。値ｓｆ２は、ＰＤＣＣＨ反復サブフレームの２＊数に対応し、ｓｆ５は、５＊ＰＤＣＣＨ反復サブフレーム数に対応する、などである。ｓｈｏｒｔＤＲＸ−Ｃｙｃｌｅ−ｖ１１３０がシグナリングされる場合、ＵＥはｓｈｏｒｔＤＲＸ−Ｃｙｃｌｅを無視する（すなわち、サフィックスなし）。
【００５０】
ｄｒｘ−Ｉｎａｃｔｉｖｉｔｙ−Ｔｉｍｅｒは、新しい送信（ＵＬまたはＤＬ）を示すＰＤＣＣＨのデコードに成功した後、ＵＥがアクティブ状態にある連続するＰＤＣＣＨサブフレームの数を特定する。新しい送信（ＵＬまたはＤＬ）のためにＰＤＣＣＨを受信したときのカバレッジ拡張をサポートするために、ｄｒｘ−Ｉｎａｃｔｉｖｉｔｙ−Ｔｉｍｅｒは、Ｍ−ＰＤＣＣＨによってスケジュールされたＰＤＳＣＨ反復後に再開される。
【００５１】
ＲＡＲウィンドウについても同様に、競合解消タイマーは以下のように変更することができる。
【数３】
0006557421.tif 000004
【００５２】
ｍａｃ−ＣｏｎｔｅｎｔｉｏｎＲｅｓｏｌｕｔｉｏｎＴｉｍｅｒは、サブフレームの値＊ＣＥレベルの繰り返し回数を用いる、競合解消のためのタイマーである。値ｓｆ８は、８つのサブフレーム＊ＣＥレベルの反復回数に対応し、ｓｆ１６は、１６のサブフレーム＊ＣＥレベルの反復回数に対応する、などである。
【００５３】
ｒａ−ＲｅｓｐｏｎｓｅＷｉｎｄｏｗＳｉｚｅは、サブフレーム＊ＣＥレベルの反復回数の値を用いる、ＲＡ応答ウィンドウの継続時間です。値ｓｆ２は、２つのサブフレーム＊  ＣＥレベルの繰り返し回数に対応し、ｓｆ３は、３つのサブフレーム＊ＣＥレベルの繰り返し回数に対応する、などである。各サービング・セルに同じ値が適用される（ただし、関連する機能は各セルに対して独立して実行される）。
【００５４】
反復回数は、ＵＥとｅＮＢとの間で予め定義され又はシグナリングされた特定のカバレッジ強化カバレッジ要件に関連する重み係数で置き換えることができる、すなわち、その値は、ＣＥレベルのサブフレーム＊重み係数で定義することができる。
【００５５】
実施形態は、カバレッジ向上のためにＤＬ受信およびＵＬ送信が適切に動作することを保証する。ＤＲＸ構成とＭ−ＰＤＣＣＨ送信との間の最大整列は、最適なＵＥ電力節約を達成することを可能にする。
【００５６】
したがって、１つの実施形態において、セルラー通信システムの端末デバイスは、チャネル監視関連タイマーの有効値がカバレッジ拡張レベルにマッピングされるように、少なくとも１つのチャネル監視関連タイマーの構成を定義することができる。端末デバイスは、チャネル監視関連タイマーの前記構成に従って、ネットワーク要素と端末デバイスとの間で送信されるチャネル・サブフレームの監視を行うことができる。
【００５７】
一実施形態では、ネットワーク要素は、端末装置に対して、チャネル監視関連タイマーの実効値がカバレッジ向上レベルにマッピングされるように、少なくとも１つのチャネル監視関連タイマーの構成を定義し、ネットワーク要素から端末装置へのシグナリングの送信を引き起こし、シグナリングは、チャネル監視関連タイマーの定義された構成を示す。
【００５８】
１つの実施形態において、端末デバイスは、チャネル監視関連タイマーの有効値がカバレッジ拡張レベルにマッピングされるように、少なくとも１つのチャネル監視関連タイマーの構成を示すシグナリングをネットワーク要素から取得することができる。端末デバイスは、チャネル監視関連タイマーの前記構成に従って、ネットワーク要素と端末デバイスとの間で送信されるチャネル・サブフレームの監視を行うことができる。
【００５９】
一実施形態は、少なくとも１つのプロセッサと、コンピュータ・プログラム・コードを含む少なくとも１つのメモリとを備える装置を提供し、前記少なくとも１つのメモリおよび前記コンピュータ・プログラム・コードは、前記少なくとも１つのプロセッサを用いて、前記のネットワーク要素またはネットワーク・ノードの手順を前記装置に実行させるように構成される。少なくとも１つのプロセッサ、少なくとも１つのメモリ、およびコンピュータ・プログラム・コードは、したがって、ネットワーク要素またはネットワーク・ノードの上述の手順を実行するための手段の一実施形態と考えることができる。図７は、そのような装置の構造のブロック図を示す。装置は、ネットワーク要素に含まれてもよく、ネットワーク・ノードに含まれてもよい。装置は、ネットワーク要素またはネットワーク・ノード内にチップセットまたは回路を形成することができる。いくつかの実施形態では、装置はネットワーク要素またはネットワーク・ノードである。装置は、少なくとも１つのプロセッサを含む処理回路１０を備える。
【００６０】
処理回路１０は、端末デバイスに対して、ダウンリンク制御チャネル監視関連タイマーの有効値がカバレッジ拡張にマッピングされるように、少なくとも１つのダウンリンク制御チャネル監視関連タイマーの構成を定義するように構成されたタイマー構成回路１２を備えることができるレベルである。タイマー構成回路１２は、上述したように、ダウンリンク制御チャネル監視関連タイマーの構成を定義し、ダウンリンク制御チャネル監視関連タイマーの構成に関する情報を、シグナリングを生成して端末装置に送信するように構成された制御メッセージ生成器１４に出力するように構成することができる。このシグナリングは、ダウンリンク制御チャネル監視関連タイマーの定義された構成を示す。処理回路１０は、サブ回路として回路１２および１４を含むことができる、または、同じ物理処理回路によって実行されるコンピュータ・プログラムモジュールとみなすことができる。メモリ２０は、回路１２および１４の動作を特定するプログラム命令を含む１つ以上のコンピュータ・プログラム・プロダクト２４を格納することができる。メモリ２０は、例えば、ダウンリンク制御チャネルシグナリングのための定義を含むデータベース２６をさらに格納することができる。この装置は、端末デバイスとの無線通信能力を装置に提供する無線インタフェース（図７には図示せず）をさらに備えることができる。無線インタフェースは、無線通信を可能にする無線通信回路を含み、無線周波数信号処理回路およびベースバンド信号処理回路を含む。ベースバンド信号処理回路は、送信器や受信器の機能を実行するように構成することができる。いくつかの実施形態において、無線インタフェースは、少なくともアンテナを含む遠隔無線ヘッドに接続され、いくつかの実施形態では、基地局に対して遠隔位置で無線周波数信号処理が行われる。そのような実施形態では、無線インタフェースは、無線周波数信号処理の一部のみを実行することができる、あるいは、無線周波数信号処理を全く実行しなくてもよい。無線インタフェースと遠隔無線ヘッドとの間の接続は、アナログ接続またはデジタル接続であることができる。いくつかの実施形態では、無線インタフェースは、有線通信を可能にする固定通信回路を含むことができる。
【００６１】
一実施形態は、少なくとも１つのプロセッサと、コンピュータ・プログラム・コードを含む少なくとも１つのメモリとを備える装置を提供し、前記少なくとも１つのメモリおよび前記コンピュータ・プログラム・コードは、前記少なくとも１つのプロセッサを用いて、その装置に、上述した端末装置の処理を実行させるように構成される。少なくとも１つのプロセッサ、少なくとも１つのメモリ、およびコンピュータ・プログラム・コードは、したがって、端末デバイスの上記手順を実行するための手段の一実施形態と考えることができる。図８は、そのような装置の構造のブロック図を示す。この装置は、端末デバイスに備えられることができる。例えば、この装置は、端末デバイスにチップセットまたは回路を形成することができる。いくつかの実施形態では、装置は端末デバイスである。この装置は、少なくとも１つのプロセッサを含む処理回路５０を含む。処理回路５０は、ダウンリンク制御チャネル監視関連タイマーの有効値がカバレッジ拡張ＣＥレベルにマッピングされるように、少なくとも１つのダウンリンク制御チャネル監視関連タイマーの構成を定義または取得するように構成されたタイマー構成回路５４を含むことができる。  通知イベント検出器５２は、上述したように、ダウンリンク制御チャネル監視関連タイマーの構成を定義／取得し、ダウンリンク制御チャネル監視関連タイマーの構成に関する情報を、前記ダウンリンク制御チャネル監視関連タイマーの前記構成に従って、ネットワーク要素から送信されたダウンリンク制御チャネル・サブフレームの監視を実行するように構成されたタイマー監視回路５２に出力するように構成することができる。
【００６２】
処理回路５０は、サブ回路として回路５２ー５４を備えることができる、または、同じ物理処理回路によって実行されるコンピュータ・プログラムモジュールとみなすことができる。メモリ６０は、回路５２−５４の動作を特定するプログラム命令を含む１つ以上のコンピュータ・プログラム・プロダクト６４を格納することができる。メモリ２０は、例えば、ＣＥレベル計算のための定義を含むデータベース６６をさらに格納することができる。  装置は、端末デバイスとの無線通信能力を装置に提供する無線インタフェース（図８には示されていない）をさらに備えていてもよい。無線インタフェースは、無線通信を可能にする無線通信回路を含み、無線周波数信号処理回路およびベースバンド信号処理回路を含む。ベースバンド信号処理回路は、送信器および／または受信器の機能を実行するように構成することができる。いくつかの実施形態では、無線インタフェースは、少なくともアンテナを含む遠隔無線ヘッドに接続され、いくつかの実施形態では、基地局に対して遠隔位置で無線周波数信号処理が行われる。そのような実施形態では、無線インタフェースは、無線周波数信号処理の一部のみを実行することができ、あるいは、無線周波数信号処理を全く実行しないことができる。無線インタフェースと遠隔無線ヘッドとの間の接続は、アナログ接続またはデジタル接続であることができる。いくつかの実施形態では、無線インタフェースは、有線通信を可能にする固定通信回路を含むことができる。
【００６３】
このアプリケーションで使用されているように、「回路（ｃｉｒｃｕｉｔｒｙ）」という用語は、次のすべてを指す。
（ａ）アナログ回路および／またはデジタル回路のみにおける実装などのハードウェアのみの回路実装、
（ｂ）回路およびソフトウェアおよび／またはファームウェアの組み合わせ（適用可能な場合）、（ｉ）プロセッサまたはプロセッサ・コアの組み合わせ、または、
（ｉｉ）デジタル信号プロセッサ、ソフトウェア、および、装置に特定の機能を実行させるために協働する少なくとも１つのメモリを含むプロセッサ／ソフトウェアの部分、および、
（ｃ）ソフトウェアまたはファームウェアが物理的に存在しない場合でも、動作のためにソフトウェアまたはファームウェアを必要とするマイクロプロセッサまたはマイクロプロセッサの一部のような回路。
【００６４】
「回路（ｃｉｒｃｕｉｔｒｙ）」のこの定義は、本願のおけるこの用語のすべての使用に適用される。  さらなる例として、本願で使用されるように、用語「回路（ｃｉｒｃｕｉｔｒｙ）」は、単にプロセッサ（または複数のプロセッサ）または、プロセッサの一部分、例えば、マルチコア・プロセッサの１つのコア、およびその（またはそれらの）付随するソフトウェアおよび／またはファームウェアの実装をもカバーする。また、用語「回路（ｃｉｒｃｕｉｔｒｙ）」は、例えば、特定のコンポーネントに適用可能であれば、ベースバンド集積回路、特定用途向け集積回路（ＡＳＩＣ）、および／または、本願発明の実施形態にしたがう装置のためのフィールドプログラマブルグリッドアレイ（ＦＰＧＡ）回路をカバーする。
【００６５】
図１−図８に関連して上述したプロセスまたは方法は、また、１つ以上のコンピュータ・プログラムによって定義された１つ以上のコンピュータ・プロセスの形で実行することもできる。コンピュータ・プログラムは、また、コンピュータ・プログラムのモジュールも包含するものとみなされるべきである。例えば、上記の処理は、より大きいアルゴリズムのプログラムモジュールまたはコンピュータ・プロセスとして実行されることができる。コンピュータ・プログラムは、ソースコード形式、オブジェクトコード形式、または、何らかの中間形式であることができ、それは、プログラムを運搬することができる任意のエンティティまたはデバイスであるキャリアに格納することができる。そのようなキャリアには、一時的および／または非一時的なコンピュータ媒体、例えば、記録メディア、コンピュータメモリ、読み出し専用メモリ、電気搬送波信号、電気通信信号、および、ソフトウェア配布パッケージを含むことができる。必要とされる処理能力に応じて、コンピュータ・プログラムは、単一の電子デジタル処理ユニットで実行することができる、または、複数の処理ユニットの間で分散することもできる。
【００６６】
本願発明は、上記で定義したセルラーまたは移動体通信システムに適用可能であるが、他の適切な通信システムにも適用可能である。使用されるプロトコル、セルラー通信システムの仕様、それらのネットワーク要素、および端末デバイスは、急速に発展する。そのような開発は、記載された実施形態に対する追加の変更を必要とすることがありえる。したがって、すべての言葉および表現は広義に解釈されるべきであり、それらは実施形態を例示することを意図したものであり、実施形態を制限するものではない。
【００６７】
技術が進歩するにつれて、本願発明のコンセプトは様々な方法で実施できることは、当業者には明らかであろう。本願発明およびその実施形態は、上記の例に限定されず、特許請求の範囲内で変化することができる。
【００６８】
略語リスト
３ＧＰＰ：第３世代プロジェクト・パートナー
ＤＬ：ダウンリンク
ＤＲＸ：間欠受信（Ｄｉｓｃｏｎｔｉｎｕｏｕｓ  Ｒｅｃｅｐｔｉｏｎ）
ｅＮＢ：拡張ノードＢＥＰＤＣＣＨ：拡張物理ダウンリンク制御チャネル
Ｍ−ＰＤＣＣＨ：ＭＴＣ  ＰＤＣＣＨ
ＬＴＥ：ロング・ターム・エボリューション（Ｌｏｎｇ  Ｔｅｒｍ  Ｅｖｏｌｕｔｉｏｎ）
ＭＴＣ：マシン型コミュニケーション
ＰＤＣＣＨ：物理ダウンリンク制御チャネル（Ｐｈｙｓｉｃａｌ  Ｄｏｗｎｌｉｎｋ  Ｃｏｎｔｒｏｌ  Ｃｈａｎｎｅｌ）
ＰＤＳＣＨ：物理ダウンリンク共有チャネル
ＳＦＮ：システム・フレーム番号
ＵＬ：アップリンク
ＵＥ：ユーザ装置（Ｕｓｅｒ  Ｅｑｕｉｐｍｅｎｔ）
ＨＡＲＱ：ハイブリッド自動再送要求
ＲＲＣ：ラジオ・リソース制御（Ｒａｄｉｏ  Ｒｅｓｏｕｒｃｅ  Ｃｏｎｔｒｏｌ）
ＭＡＣ：メディア・アクセス制御
ＲＡＲ：ラジオ・アクセス応答
ＰＨＲ：電力ヘッドルーム・レポート
ＢＳＲ：バッファ・ステータス・レポート
ＳＲ：スケジューリング要求
ＦＤＤ：周波数分割デュプレックス
ＰＲＢ：物理資源ブロック
ＲＡＣＨ：ランダム・アクセス・チャンネル
【図１】
0006557421.tif 000005
【図２】
0006557421.tif 000006
【図３】
0006557421.tif 000007
【図４】
0006557421.tif 000008
【図５】
0006557421.tif 000009
【図６】
0006557421.tif 000010
【図７】
0006557421.tif 000011
【図８】
0006557421.tif 000012